(57)【要約】      （修正有）【課題】従来のバッグ製造法において、バッグを縫製後、別途鍵を取り付けるのが一般的であるが、頑丈な鍵を付けようとすると作業上手間がかかる。また外観上も悪く、且つ重量があり、持運びが不便である。【解決手段】蓋付きボックスやファスナーにより開閉をするバッグにおいて、鍵に代わる開閉器１０を備え、前記開閉器１０をなす上部架構１６と下部架構１８が噛み合い合体されて形をなす受け口２０に、矢じりチップ２５を差し込んで逆戻りしない封止法を実現する。矢じりチップの先端はサカトゲ２６を備え、前記サカトゲ２６をチップ面に垂直方向に湾曲して成型することで、受け口２０内部で上下水平方向に変形し、受け口２０を通過後元の形に戻るが、引っ掛かる力が倍増しているために逆戻りしない。また開封手段は矢じりチップを折って破壊する以外に方法がないために、チップ表面に予め番号や文字を印刷しておけば、チップすり替えが不可能となる。【選択図】図４
2011078725.tif 000002
【特許請求の範囲】
【請求項１】
ファスナー付バッグに取付けた開閉器おいて、開閉器が上部架構と下部架構からなり、スライダーの引手に固定された上部架構とファスナーのエレメントの上止に固定された下部架構が噛み合い合体化されて生じる受け口に、先端にサカトゲを備え且つ特殊な番号を印刷した矢じりチップを差し込むと、受け口通過後にサカトゲが圧縮から開放されて元の形に戻って引っかかるために、開閉器を開けるにはチップを折って破壊するしかなく、よって部外者による秘密裏の開封を困難とする封止方法。
【請求項２】
蓋付ボックスに取り付けた開閉器が上部架構と下部架構からなり、上部架構と下部架構が噛み合い合体されて形をなす受け口に、矢じりチップを差し込んで鍵の役目をなす封止手段において、矢じりチップの先端に備えるサカトゲをチップ面に垂直方向に湾曲して成型することで、受け口内部で壁圧の影響を受けて上下方向と水平方向に２重に変形するために、受け口を通過後サカトゲが元の形に戻り受け口に引っ掛かる力が倍増し、さらに矢じりチップの差し込みの確認もより確実になる封止方法。
【発明の詳細な説明】
【技術分野】
【０００１】本発明はボックスやバッグ等を部外者が秘密裏に開封するのを防止するものである。ボックスやファスナーにより開閉をするバッグにおいて、中身を見られたり、改ざんや盗難を防ぐために出入り口を封緘する手段として、プラスチックの上部架構と下部架構からなる開閉器が合体して形成する受け口に、非同一な番号を印刷した矢じりチップを差し込むと、矢じり先端のサカトゲが変形して逆行を妨げて、矢じりチップを破壊する以外には開封を不可能にする封止方法を提供するものである。また矢じりチップを破壊して別の矢じりチップと取替えても、番号が違うために開封されたことが直ぐに発見できる。更に材質をプラスチックとしたことでチップ製作コストが下がり、矢じりチップを使い捨てしても採算がとれる。
【背景技術】
【０００２】従来のボックスやバッグの封止方法においては、主として金属からなる錠前を備え鍵をかける方式が一般的だが、他人に鍵を盗まれたり合鍵を作られて、ボックスやバッグの中身を操作されても再び鍵がかかれば、外観上変化がないために、中身操作に気が付かないことがある。また金属からなる錠前は重く、大きく且つぶら下がっているので持ち運びに不便である。また錠前は高価なためコスト高となる。
【発明の開示】
【発明が解決しようとする課題】
【０００３】ボックスやバッグ等の封止方法において、中身改ざんを防ぐために、小さく、軽く、安価で、且つ信頼性高い開閉器を取り付けた開封システムを考案する。開閉器は繰り返し利用可能とするために使い捨て可能なチップを封止に用い、部外者による秘密裏の開封を皆無とするために開閉器を開ける手段をチップ折れ破壊とする。
【課題を解決するための手段】
【０００４】本発明では、信頼できる開閉部封止を実現するために、鍵に代わる封止方法として、プラスチックからなる開閉器の上部架構と下部架構が合体して形成される受け口に、特異的番号を印刷した矢じりチップを差し込むと、矢じり先端に設けたサカトゲが変形することで逆戻りが不可能となり、開閉器を開ける手段がチップ折れ破壊のみとなり、よって部外者による秘密裏の開封を防止できる【０００５】第一の発明ではファスナー付バッグに取付けた開閉器おいて、開閉器が上部架構と下部架構からなり、スライダーの引手に固定された上部架構とエレメントの上止に固定された下部架構が噛み合い合体化されて生じる受け口に、矢じり先端にサカトゲを備え且つ特殊な番号を印刷した矢じりチップを受け口に差し込むと、受け口通過後にサカトゲが圧縮から開放されて元の形に戻って引っかかるために、開閉器を開けるにはチップを折って破壊するしかなく、よって部外者による秘密裏の開封を防止できる封止方法を構築した。【０００６】第２の発明では、蓋付ボックスに取り付けた開閉器が上部架構と下部架構からなり、上部架構と下部架構が噛み合い合体されて形をなす受け口に、矢じりチップを差し込んで鍵の役目をなす封止手段において、矢じりチップの先端に備えるサカトゲをチップ面に垂直方向に湾曲して成型することで、受け口内部で壁圧の影響を受けて上下方向と水平方向に２重に変形するために、受け口を通過後サカトゲが元の形に戻り受け口に引っ掛かる力が倍増し、さらに矢じりチップの差し込みの確認もより確実になる封止方法を提供する。
【発明の効果】
【０００７】本発明の封止方法によるボックスやバッグを遠くに運搬しても、チップ外観に変化なければ中身に改ざん無きことが保障される。【０００８】本発明では開閉器の上部架構はファスナー引手或いはボックスの蓋に直接取付けるため紛失することが無い。【０００９】本発明では開閉器の下部架構は、バッグに縫いつけたファスナーの上止を上下に挟みカシメ圧着するのでバッグから外れない。【００１０】本発明では開閉器の架構上下内側の凹凸が噛み合って固定されると、開閉器の水平方向強度があがり、外部からのすべり方向の力に耐えることができる。【００１１】本発明では開閉器の上部架構と下上部架構が噛み合うと開閉器の外側表面には凹凸部がなくなり、こじ開ける道具が有効に働かない。【００１２】本発明の矢じりチップはプラスチック成型で小さく、番号印刷は自動のため安価であるために、開閉器は繰り返し使用し、チップのみを折れ破壊で使い捨てとし、低コストの封止法が実現できる。【００１３】本発明では、開閉器の受け口に矢じりチップを差し込むと、矢じり先端のサカトゲが水平方向に圧縮されながら押し込まれ、受け口通過後元の形に戻って逆行を妨げるために、矢じりチップを破壊する以外の開閉器の開封手段をなくした。【００１４】本発明では、矢じり先端のサカトゲがチップ平面と直角方向に湾曲して成型されているために、受け口内部で上下に圧縮されて変形し、受け口通過後変形した矢じりが元の形に戻って受け口にひっかかり逆行を妨げる力が倍増する。【００１５】本発明では、矢じりチップの裏面に凹型の溝を設け、且つ開閉器の下部架構のチップ滑り台面上にも凹型溝と同寸法の凸型突起を設けたために、矢じりチップが受け口をすぎると、凹型溝と凸型突起が完全に会合し、同時にチップ面とチップ滑り台面の隙間が消滅して平行となり、よって開閉器を完全に閉じたことを認識できる。【００１６】本発明ではチップ表面に認識可能な番号や文字を印刷するために、チップのすり替えが不可能となり、よってボックスやバッグ内部が部外者により秘密裏に操作されることがない。【００１７】本発明による封止法を使用するボックスやバッグの開閉器は、布やプラスチックの箱や袋以外に金属やセラミックのボックスにも使用可能である。【００１８】本発明による封止法を使用するファスナー付バッグは構造が簡単であり、また開閉器のバッグへの装着が容易なので、低コストによる量産ができる。
【発明を実施するための最良の形態】
【００１９】本発明の開閉器付ボックスやバッグの入物において、ボックスの蓋やファスナーのスライダーの引手に取付けた上部架構とボックス本体やファスナーエレメントの上止に取付けた下部架構が噛合い合体化されて受け口を形成し、受け口に差し込む矢じりチップが先端にサカトゲを備え、前記サカトゲがチップ面に水平垂直方向に変形可能とし、且つサカトゲの形状をチップ面に垂直方向に曲げて成型することで、サカトゲが受け口を通過後に逆行を妨げる力が倍増し、よって矢じりチップを破壊する以外にファスナーを開ける手段を不可能とする。
【実施例】
【００２０】以下、この発明を添付図面にもとづき説明する。図１は本発明の請求項１により製作したファスナー付バッグの概略図である。開閉器１０はバッグ１３に縫製により縫い付けられたファスナーのエレメント１１に取り付けられている。【００２１】図２は開閉器１０の断面図である。上部架構１６はファスナーのスライダー１２に付属する引手１４に連結されており、エレメント１１に沿って移動する。また開閉器１０の下部架構１８はエレメント１１の上止１５に金属カシメにより装着されている。開閉器１０には矢じりチップ２５を差し込む受け口２０が上部架構１６と下部架構１８から形成されている。矢じりチップ２５の先端は矢じりチップ２５平面から垂直方向に曲げて成型されたサカトゲ２６が設けられている。
図３は、本発明の請求項１の矢じりチップ２５の平面図であり、矢じりチップ２５は水平方向に変形可能なサカトゲ２６を備えており、開閉器１０の受け口２０へ差し込む前の状態を表している。【００２２】図４は請求項１の矢じりチップ２５が開閉器１０の受け口２０を通過する途中状態を表している。サカトゲ２６は受け口２０内で上下方向に圧を受けて変形している。図５は請求項２の矢じりチップ２５が開閉器１０の受け口２０を通過する途中の平面図を表している。サカトゲ２６は受け口２０で水平方向に圧を受けながら差し込まれる。【００２３】図６は請求項１の矢じりチップ２５が受け口２０を通過後の断面を表している。図７は矢じりチップ２５が受け口２０を通過後の平面図を表している。サカトゲ２６は受け口２０通過完了すると上下水平方向で元の形に戻り逆行を不可能にする。【００２４】図８は矢じりチップ２５の裏面に凹型溝２８を設け、且つ開閉器の下部架構１８のチップ滑り台２１にも凹型溝２８と同寸法の凸型突起２４を設けることで、矢じりチップが受け口２０をすぎると、凹型溝２８と凸型突起２４が会合し、よって矢じりチップ２５とチップ滑り台２１スライド面が平行となり、封止が完了する。【００２５】図９は矢じりチップ２５の凹型溝２８と凸型突起２４が会合した状態の平面図である。【００２６】図１０は矢じりチップ２５の表面であり認識用番号が印字される。
またサカトゲ２６はチップ面と垂直方向に曲げて成型される。
図１１は矢じりチップ２５の裏面であり、凹型溝２８が設けられている。
図１２は矢じりチッップ２５の裏面の平面図であり、図１３は矢じりチップ２５の表面の平面図である。
【産業上の利用可能性】
【００２６】本発明の封止法による開閉器を擁した容器やバッグを用いると、いかなる遠方に運ばれ、またいかなる期間を経過しても、チップの形と番号に変化なければ中身を開けた部外者はいないという保障が得られる。従って部外者との非接触が望ましい非公開書類や薬品その他食品等の運搬や保管をより安全に行うことができる。また本発明の構造が簡単なため量産が容易である。
【図面の簡単な説明】
【００２７】
【図１】請求項１により製作した開閉器とファスナー付バッグの概略図である。
【図２】請求項１の開閉器に矢じりチップを差し込む前の断面図である。
【図３】請求項１の開閉器に矢じりチップを差し込む前の平面図である。
【図４】請求項１の受け口に矢じりチップを差し込む途中の断面図である。
【図５】請求項１の受け口に矢じりチップを差し込む途中の平面図である。
【図６】請求項１の受け口に矢じりチップを差し込んだ断面図である。
【図７】請求項１の受け口に矢じりチップを差し込んだ平面図である。
【図８】矢じりチップの凹型溝と下部架構の凸型突起が合致した断面図である。
【図９】請求項１の受け口に矢じりチップの差込が完了した平面図である。
【図１０】請求項２矢じりチップ表面概略図である。
【図１１】請求項２矢じりチップ裏面概略図である。
【図１２】請求項２矢じりチップ裏面平面図である。
【図１３】請求項２矢じりチップ表面平面図である。
【図１４】請求項２のボックス開閉器の封止前状態の概略図である。
【図１５】請求項２のボックス開閉器の封止後状態の概略図である。
【符号の説明】
【００２８】１０  開閉器  １１  エレメント  １２  スライダー  １３  バッグ  １４  引手
１５  上止  １６  上部架構  １８  下部架構  ２０  受け口  ２１  チップ滑り台
２４  凸型突起    ２５  矢じりチップ  ２６  サカトゲ  ２８  凹型溝
【図１】
2011078725.tif 000003
【図２】
2011078725.tif 000004
【図３】
2011078725.tif 000005
【図４】
2011078725.tif 000006
【図５】
2011078725.tif 000007
【図６】
2011078725.tif 000008
【図７】
2011078725.tif 000009
【図８】
2011078725.tif 000010
【図９】
2011078725.tif 000011
【図１０】
2011078725.tif 000012
【図１１】
2011078725.tif 000013
【図１２】
2011078725.tif 000014
【図１３】
2011078725.tif 000015
【図１４】
2011078725.tif 000016
【図１５】
2011078725.tif 000017